(57)【要約】【課題】  透明樹脂成形部材の透過率調整を容易とするとともに、不良低減及びコスト低減を図ることが可能な車両メータを提供する。【解決手段】  計器装置の前方に配置される光透過性の透明樹脂成形部材となるフロントカバー１３を有する車両メータ１は、フロントカバー１３を、基本色となる透明樹脂材料で成形される本体部１４と、その本体部１４の成形を行いつつフィルム転写方法を用いて転写される透過率調整のなされた透過率調整層１５とを備えて構成する。また、本体部１４には転写用の転写面１４ａと本体部固定用の凹部１４ｂとを形成する。さらに、転写面１４ａの周縁と凹部１４ｂの周縁とを本体部１４のパーティングラインＰＬの位置に一致するように配置する。【選択図】    図１
2005308669.tif 000002
【特許請求の範囲】
【請求項１】
計器装置の前方に配置される光透過性の透明樹脂成形部材を有する車両メータであって、
前記透明樹脂成形部材を、基本色となる透明樹脂材料で成形される本体部と、該本体部の成形を行いつつフィルム転写方法を用いて転写される透過率調整のなされた透過率調整層とを備えて構成し、且つ、前記本体部に前記転写用の転写面と前記本体部固定用の凹部とを形成し、且つ、前記転写面の周縁と前記凹部の周縁とを前記本体部のパーティングラインの位置に合わせた
ことを特徴とする車両メータ。
【発明の詳細な説明】
【技術分野】
【０００１】
本発明は、計器装置の前方に配置される光透過性の透明樹脂成形部材を有する車両メータに関する。
【背景技術】
【０００２】
車両メータを構成する計器装置の前方に配置される光透過性の透明樹脂成形部材としては、例えばフロントカバーがある。そのフロントカバーは、従来よりアクリル、ポリカーボネート、ポリスチレン等の樹脂材料を用いて射出成形により製造されている。
【０００３】
車両メータには、メータ作動時にのみメータ表示がなされるような、フロントカバーをブラックフェース化したものがある。ブラックフェース化するためには、透明樹脂材料に黒色の添加物を混合させる必要がある。これにより、例えば、フロントカバーの透過率を２０％程度とすると、メータ非作動時（メータの照明が非点灯時）には、メータ内部がほとんど見えず、メータ作動時にのみメータ表示が見えるようになる。尚、透過率は、デザインやコスト条件で様々な値をとり、上記に限らないものとする。
【０００４】
一方、デザイン上の要求により、フロントカバーをブルーイング等で色付けしたものがある。色付けは、デザインによって様々な色で色付けされている。この場合は、透明樹脂材料に目的色の添加物を混合させて色付けするようになっている。
【０００５】
ブラックフェース化やブルーイング等の色付けによるフロントカバーを製造する場合には、上記の如く、透明樹脂材料に色付け用の添加物を混合させ、その成形材料でフロントカバーを成形して目的とする色を出すことになる。また、ブラックフェース化の透過率設定も、ブルーイング等の色付けの場合も、デザインやコスト（特に、ブラックフェース化の場合、機能的には透過率を下げたいが、透過率を下げるとメータ照明をより明るく設定する必要があり、その分コストアップになる）条件により、樹脂設定色は、ほぼ車両メータ毎に異なる色を設定することになる。
【０００６】
この場合、次のような二つの問題点が発生する。すなわち、その一つ目として、色付けされた樹脂は、色毎にカスタム設定となり、樹脂材料の使用量も、対象となる車両メータのみの少量使用となる。従って、樹脂材料の無駄が発生する。もう少し詳しく説明すると、樹脂材料による生産は、ある程度の量を一度に用いて行うようになることから、少量しか使用しない場合には、使えない樹脂が発生し、樹脂材料の無駄が発生する。二つ目として、樹脂色を設計当初に決める場合には、何度かのトライが必要になることから、その度にカスタムとなる樹脂材料を用いて、ある程度のロットで成形を行わなければならず、トライコストが大きくなってしまう。
【０００７】
ブラックフェース化を含む色付けフロントカバーにおいて、ある部分の色の濃さを変化させたい場合がある。この場合、下記特許文献１や特許文献２に開示された技術が用いられ、これによって色の濃さを変化させるようになっている。
【０００８】
下記特許文献１の開示技術にあっては、別部材となる透明樹脂成形部材を必要としており、コストアップになるという問題点を有している。一方、下記特許文献２の開示技術にあっては、一度金型を製作し樹脂厚の設定をしてしまうと、その後、色の濃さを変えたい時に、既に設定した樹脂厚値により、一方の厚さのみを変えることはできない（例えば、一方の範囲を濃くするために樹脂材料を濃くすると、本来濃くしなくてよい他方の範囲も濃くなってしまう）という問題点や、成形条件より樹脂厚には一定の拘束条件（成形品のため、成形材厚には、成形条件から決まってしまう範囲があるため、その材厚範囲を超えた濃さの設定はできない）が発生するため、濃さの設定可能範囲も小さい範囲に限られてしまうという問題点を有している。
【０００９】
その他、ブラックフェース化を含む色付けフロントカバーに、ロゴ付けや文字・絵を表現する場合、従来の、材料に添加剤を混合し色出しする方法では、色付けと関係の無い工程（印刷工程）で、ロゴ・文字・絵・図形を表現しなければならないという問題点を有している。また、ハードコートを行う場合も別工程でしなければならないという問題点を有している。
【特許文献１】特開平７−９８２３５号公報
【特許文献２】特開２０００−１６１９９８号公報
【発明の開示】
【発明が解決しようとする課題】
【００１０】
本願発明者は、基本色となる透明樹脂材料で透明樹脂成形部材の本体部を成形しつつ、その本体部の表面又は裏面に透過率調整のなされた透過率調整層をフィルム転写法を用いて転写すれば上記各種の問題点に対する解決を図ることができると考えた。
【００１１】
そして、本願発明者は、上記フィルム転写法を用いる場合についての検討を続けたところ、次のような問題点が発生するかもしれないことを見いだした。
【００１２】
すなわち、図６に示されるように、一般的に知られている既知透明樹脂成形部材５１は、複数の固定用の係止突起５２を有する構造になっている。また、既知透明樹脂成形部材５１を成形するための成形金型のパーティングラインは、図７の太線Ａ又は図８の太線Ｂの位置になっている。従って、図中のＡ１、Ｂ１方向に成形金型を開くと、図中のＡ２やＡ３の位置、Ｂ２の位置に転写用フィルムの伸びや縮みが集中してしまい、その結果、フィルムの重なりやフィルムの極端な伸びが発生してしまうという問題点を見いだした。また、図中のＡ４、Ｂ３の位置においては、フィルムの切れが発生してしまうという問題点を見いだした。
【００１３】
尚、図９に示されるように、パーティングラインを太線Ｃの位置にするとともに、図中Ｄ部分をスライド金型構造にすることで、フィルムの重なりや極端な伸びや切れを解消することが考えられる。しかしながら、スライド金型構造を含むと成形金型の費用が嵩んでしまうという問題点を有している。
【００１４】
本発明は、上述した事情に鑑みてなされるもので、透明樹脂成形部材の透過率調整を容易とするとともに、不良低減及びコスト低減を図ることが可能な車両メータを提供することを課題とする。
【課題を解決するための手段】
【００１５】
上記課題を解決するためになされた請求項１記載の本発明の車両メータは、計器装置の前方に配置される光透過性の透明樹脂成形部材を有する車両メータであって、前記透明樹脂成形部材を、基本色となる透明樹脂材料で成形される本体部と、該本体部の成形を行いつつフィルム転写方法を用いて転写される透過率調整のなされた透過率調整層とを備えて構成し、且つ、前記本体部に前記転写用の転写面と前記本体部固定用の凹部とを形成し、且つ、前記転写面の周縁と前記凹部の周縁とを前記本体部のパーティングラインの位置に合わせたことを特徴としている。
【００１６】
このような特徴を有する本発明によれば、透明樹脂成形部材の本体部の成形と同時に透過率調整のなされた透過率調整層が本体部に転写される。また、本体部の転写面の周縁と凹部の周縁とが本体部のパーティングラインの位置に合うことから、成形時における転写用フィルムの伸びや縮みや切れが防止される。
【発明の効果】
【００１７】
本発明によれば、透明樹脂材料の種類を増やさずに透明樹脂成形部材の色付けをすることができるという効果を奏する。すなわち、透過率調整層の変更のみで透明樹脂成形部材の色付けをすることができるという効果を奏する。また、フィルム転写法を用いることから、透明樹脂成形部材の色付けを容易に行うことができるという効果を奏する。従って、以上により透明樹脂成形部材の透過率調整を容易とするとともに、コスト低減を図ることができるという効果を奏する。一方、本発明によれば、本体部の転写面の周縁と凹部の周縁とを本体部のパーティングラインの位置に合わせたことから、転写用フィルムの伸びや縮みや切れを防止することができるという効果を奏する。従って、これにより不良低減を図ることができるという効果を奏する。
【発明を実施するための最良の形態】
【００１８】
以下、図面を参照しながら説明する。
図１は本発明の車両メータの一実施の形態を示す図であり、（ａ）は断面図、（ｂ）はフロントカバー（透明樹脂成形部材）の斜視図である。また、図２（ａ）は図１のフロントカバーの正面図、図２（ｂ）は断面図である。
【００１９】
図１において、引用符号１は車両に搭載される本発明の車両メータを示している。本発明の車両メータ１は、文字板２と、文字板２の表面側に設けられ文字板２の表示意匠３を周回する指針４と、文字板２の裏面側に設けられ指針４を所定角度だけ回動させるモータ５（指針４とモータ５は計器装置を構成する）と、文字板２の開口部６を介して指針４を照明する光源７と、光源７やモータ５を実装する基板８と、指針４を囲むように文字板２の表面に固定される光透過性のリング部材９と、基板８に実装され文字板２の開口部１０を介してリング部材９を照明する光源１１と、リング部材９の外側に設けられる見返し板１２と、文字板２の前方に配置されるフロントカバー１３とを備えて構成されている。
【００２０】
フロントカバー１３は、特許請求の範囲に記載した透明樹脂成形部材に相当するものであって、本発明の要旨を構成している。フロントカバー１３は、表ガラスで称される場合もある。尚、フロントカバー１３以外の部材は既知のものであり、ここではその説明を省略する。
【００２１】
図１及び図２において、フロントカバー１３は、光透過性を有しており、本体部１４と、例えば２０％程度の透過率になるよう調整がなされた透過率調整層１５とを備えて構成されている。本体部１４は、例えば無色透明のような基本色となる透明樹脂材料で成形されている。このような本体部１４には、転写面１４ａと複数の凹部１４ｂとが形成されている。転写面１４ａの周縁及び複数の凹部１４ｂの周縁は、本体部１４を成形するための図示しない成形金型のパーティングラインＰＬ（図１（ｂ）の太線がこれに相当）の位置に一致するように配置形成されている（上記周縁の形状としては、エッジやＲやＣ面などがある。周縁の形状が例えばエッジとなる場合には、転写面１４ａ及び凹部１４ｂが面一でなおかつパーティングラインＰＬの位置に一致する）。凹部１４ｂは、見返し板１２や図示しないケースに形成される爪状の係止突起を係止するための部分であって、フロントカバー１３を固定するために用いられている。尚、図中の凹部１４ｂの形状は、一例であるものとする（上記係止突起を係止する部分の他には、ネジ止め用の貫通孔が凹部１４ｂに相当する）。透過率調整層１５は、フィルム転写法により転写面１４ａに転写される部分であって、本体部１４の成形時にその転写がなされるようになっている。透過率調整層１５は、本形態において、凹部１４ｂの表面にも転写されるようになっている（本形態では凹部１４ｂの表面を転写面として機能させる。但しこれは一例であるものとする）。
【００２２】
上記転写法についてもう少し詳しく説明すると、図示しないフィルム上に透過率調整層１５となる部分を印刷により形成し、その印刷部分を有するフィルムを図示しない成形金型内に挟み込んで射出成形を行い、その後、成形品（本体部１４）を成形金型内から取り出すと、上記印刷部分のみが転写されて透過率調整層１５が形成されるようになっている。透過率調整層１５は、本形態において、本体部１４の表面、すなわち転写面１４ａ及び凹部１４ｂに転写されている（転写面１４ａを本体部１４の裏面に設定する場合には、パーティングラインＰＬ及び複数の凹部１４ｂの配置を裏面側にする必要があるものとする）。
【００２３】
透過率調整層１５は、例えば、所望の色となる設定色に色付けされた着色層１５ａと、その着色層１５ａの一方の面に設けられ成形時に本体部１４の転写面１４ａに密着する接着層１５ｂとを備えて構成されている。
【００２４】
上記構成において、フロントカバー１３の色調、又は、フロントカバー１３の色調と見返し板１２等の色調とが相まって、メータ非作動時には、車両メータ１がブラックフェース化される。これに対し、メータ作動時には、光源７、１１からの光（表示意匠３、指針４、リング部材９からの光）がフロントカバー１３を透過して、メータ表示が見えるようになる。
【００２５】
尚、上記フロントカバー１３に替えて、図３のフロントカバー１６、図４のフロントカバー１７、図５のフロントカバー１８を用いてもよいものとする。又は、特に図示しないが、これらの組み合わせとなるフロントカバーを用いてもよいものとする。
【００２６】
図３において、フロントカバー１６は、光透過性を有しており、上記と同じ本体部１４及び透過率調整層１５と、その透過率調整層１５とは異なる透過率の透過率調整層１９とを備えて構成されている。透過率調整層１９は、色付け度合いの異なる部分を形成するために所望の位置に一又は複数設けられている。このような透過率調整層１９は、透過率調整層１５と同様に、印刷によって形成されている。透過率調整層１９は、透過率調整層１５に対して次のような状態で配置されている。すなわち、図３（ｂ）に示されるように、透過率調整層１９は、透過率調整層１５と同一平面上に配置されている。又は、図３（ｃ）に示されるように、透過率調整層１５の上に重ねられるように配置されている。
【００２７】
図４において、フロントカバー１７は、光透過性を有しており、上記と同じ本体部１４及び透過率調整層１５と、その透過率調整層１５の上（又は下）に重ねられるように配置される表示意匠層２０とを備えて構成されている。表示意匠層２０は、上記の転写後にロゴ・文字・絵・図形等の表示意匠として表示される部分であって、所望の位置に一又は複数設けられている。表示意匠層２０は、本形態において、印刷により「ＴＲＩＰ」と表示されている。この場合の表示意匠層２０は、図示しないオドメータの位置に合わせて表示されている。表示意匠層２０は、上記の図示しないフィルム上に透過率調整層１５となる部分を形成する前に印刷によって形成されている。
【００２８】
図５において、フロントカバー１８は、光透過性を有しており、上記と同じ本体部１４及び透過率調整層１５と、その透過率調整層１５の上に重ねられるように配置されるハードコート層２１とを備えて構成されている。ハードコート層２１は、上記の転写後にハードコートとなる部分であって、透過率調整層１５の表面側の全面に設けられている。ハードコート層２１は、上記の図示しないフィルム上に透過率調整層１５となる部分を形成する前に印刷によって形成されている。
【００２９】
以上、図１ないし図５を参照しながら説明してきたように、従来、色付き添加物を混合させた透明樹脂材料で成形を行い、ブラックフェース化を含む色付けフロントカバーを製造していたものを、フィルム転写法を用いることにより、色の設定は、フィルムに印刷される印刷色で設定することができるため、従来問題となっていた色毎にカスタム設定しなければならない樹脂が、基本となる透明樹脂のみの設定でよくなる。従って、樹脂小ロット生産によるコストアップや、製品の小ロット生産による樹脂の無駄を防ぐことができる。また、色決めトライも印刷時の印刷濃さを変更するのみでよく、色決めトライを容易に行うことができる（ほとんどの場合は、インキも同じインキで、インキの希釈率の変更のみで色決めトライを行うことができる）。
【００３０】
色付けフロントカバーにおいて、色の濃さを一部のみ変える場合には、フィルム作成時に色の濃さの違いを印刷版へ反映するのみでよく、別部品を追加することなく色の濃さを変更することができる。また、色の濃さの設定時に濃さの変更を行いたい時も印刷色を変更するのみで対応が可能なため、従来できなかった一方のみの色設定変更もすることができる（色設定変更範囲も広い範囲ですることができる）。
【００３１】
その他、色付けフロントカバーにロゴ・文字・絵・図形等の表示意匠を設ける場合には、これを印刷版に反映することで即対応することができる。また、ハードコートを追加する場合においても、別工程を設定することなく、フィルムにハードコート印刷を追加するのみで対応することができ、コストアップを印刷工程一工程分にとどめることができる。
【００３２】
以上の効果をまとめると、色付けフロントカバーを製造する時に、樹脂材料の種類を増やすことなく、メータ毎に異なる色を設定することができる。また、色付け設定時のトライも印刷色を変更するだけの簡単なトライのみで対応することができる。さらに、色付けフロントカバーの一部のみ色の濃さを変える場合に、その色変更も簡単であり、色設定範囲も広げることができる。さらにまた、色付けフロントカバーにロゴ・文字・絵・図形等の表示意匠を簡単に表現することができる。さらにまた、ハードコートを追加する場合に、印刷工程一工程分のコストアップで対応することができる。
【００３３】
一方、本発明によれば、本体部１４の転写面１４の周縁ａと凹部１４ｂの周縁とを、本体部１４を成形するための図示しない成形金型のパーティングラインＰＬの位置に合わせたことから、転写用の図示しないフィルムの伸びや縮みや切れを防止することができる（図示しないフィルムにストレスがかからない）。従って、これにより不良低減を図ることができる。また、スライド金型構造を含まなくとも図示しないフィルムの伸びや縮みや切れを防止することができる。従って、これによりコスト増大を抑えることができる。
【００３４】
その他、本発明は本発明の主旨を変えない範囲で種々変更実施可能なことは勿論である。
【図面の簡単な説明】
【００３５】
【図１】本発明による車両メータの一実施の形態を示す図であり、（ａ）は断面図、（ｂ）はフロントカバー（透明樹脂成形部材）の斜視図である。
【図２】第一の例となるフロントカバー（透明樹脂成形部材）の図であり、（ａ）は正面図、（ｂ）は断面図である。
【図３】第二の例となるフロントカバー（透明樹脂成形部材）の図であり、（ａ）は正面図、（ｂ）及び（ｃ）は断面図である。
【図４】第三の例となるフロントカバー（透明樹脂成形部材）の図であり、（ａ）は正面図、（ｂ）は断面図である。
【図５】第四の例となるフロントカバー（透明樹脂成形部材）の図であり、（ａ）は正面図、（ｂ）は断面図である。
【図６】従来例のフロントカバーの斜視図である。
【図７】図６のフロントカバーに対するパーティングライン及び問題点の説明図である。
【図８】図６のフロントカバーに対する他のパーティングライン及び問題点の説明図である。
【図９】図６のフロントカバーに対するさらに他のパーティングライン及び問題点の説明図である。
【符号の説明】
【００３６】
１  車両メータ
１３、１６〜１８  フロントカバー（透明樹脂成形部材）
１４  本体部
１４ａ  転写面
１４ｂ  凹部
１５  透過率調整層
１５ａ  着色層
１５ｂ  接着層
１９  透過率調整層
２０  表示意匠層
２１  ハードコート層
ＰＬ  パーティングライン
【図１】
2005308669.tif 000003
【図２】
2005308669.tif 000004
【図３】
2005308669.tif 000005
【図４】
2005308669.tif 000006
【図５】
2005308669.tif 000007
【図６】
2005308669.tif 000008
【図７】
2005308669.tif 000009
【図８】
2005308669.tif 000010
【図９】
2005308669.tif 000011